(57)【要約】      （修正有）【課題】自動販売機の商品取出口からの雨水が内部に溜まることを防止する。【解決手段】風雨等に晒されていない場合の非販売時におけるフラッパ３２２の下部の通常の位置は、ストッパ３２１ａにより内側金属板２００の表側に突出した位置（所定位置）となっている。このため、所定の風圧まではフラッパ３２２の下部が内側金属板２００の表側及び裏側の境界近傍にあるような位置となっている。このようなストッパ３２１ａの位置は、フレーム体３２１が一体の成型品である場合及び組み立て品である場合の何れについても、フレーム体３２１の製造段階で設定可能である。また、フラッパ３２２を介して進入する雨水は、案内孔３２１ｃを通じて内側金属板２００の表面に案内され、そのまま孔部４３０ａを通じて自動販売機１０の外部に排水されるため、自動販売機１０の内部に雨水を取り込んでしまうことを防止できる。【選択図】図４
2006285796.tif 000002
【特許請求の範囲】
【請求項１】
商品が開口面を介して収容される収容庫、を有する本体と、
ドア板と、前記収容庫からの払出商品を保持する保持板と、前記保持板上の払出商品を取り出すための商品取出口と、前記商品取出口の鉛直方向の上部を回動軸として前記商品取出口を開閉するフラッパと、前記ドア板の前記本体と対向しない方向へ前記フラッパを弾性付勢する弾性材と、を有し、前記保持板は前記ドア板の前記本体と対向する裏面側に設けられ、前記商品取出口は前記ドア板の前記保持板の鉛直方向の上部となる位置に設けられ、前記開口面を開閉するドアと、
を備えた自動販売機において、
前記ドアは、
前記フラッパの鉛直方向の下部が前記ドア板の表面側に突出した所定位置で、前記フラッパの弾性付勢に基づく回動を停止するストッパと、
前記フラッパを介して進入する雨水を前記ドア板の表面に案内する排水材と、
を有することを特徴とする自動販売機。
【請求項２】
前記ストッパは、前記フラッパの下部に当接し、
前記排水材は、前記ドア板の表面及び前記ストッパの間で、前記雨水を前記ドア板の表面に案内する複数の案内孔を有する、
ことを特徴とする請求項１に記載の自動販売機。
【請求項３】
前記ドアは、前記ドア板の表面側に突出するとともに前記商品取出口を取り囲む枠体を有し、
前記ストッパは、前記枠体の一部であることを特徴とする請求項２に記載の自動販売機。
【請求項４】
前記ドアは、前記雨水等を前記ドア板の裏面に案内する副排水材を有することを特徴とする請求項１乃至３の何れかに記載の自動販売機。
【請求項５】
前記副排水材は、前記排水材の鉛直方向の下部となる前記ドア板の裏面及び前記保持板の間で、前記雨水を前記ドア板の裏面に案内する複数の案内孔を有する、ことを特徴とする請求項４に記載の自動販売機。
【請求項６】
前記ドアは、前記排水材及び前記副排水材の継ぎ目を覆うガスケットを有することを特徴とする請求項５に記載の自動販売機。
【請求項７】
前記ドアは、少なくとも前記商品取出口及び前記枠体が露出した状態で、前記ドア板の表面を所定距離を介して覆う防犯用ドア板、を有することを特徴とする請求項３乃至６の何れかに記載の自動販売機。
【請求項８】
前記商品は、煙草商品であることを特徴とする請求項１乃至７の何れかに記載の自動販売機。
【発明の詳細な説明】
【技術分野】
【０００１】
本発明は、商品を収容する本体と、内開きタイプのフラッパ付きの商品取出口が設けられたドアとを備えた自動販売機に関する。
【背景技術】
【０００２】
自動販売機には、本体に対して、フラッパ付きの商品取出口が設けられたドアを開閉して商品を収容するタイプがある。例えば顧客が金銭を投入し所望する商品の要求を入力すると、この自動販売機は要求された商品を本体の収容庫から払い出し、払い出された商品はドア板の裏面側に設けられた保持板にシュータを通じて落下し保持される。ここで、保持板は、ドアが閉じられた状態で本体と対向するようになっている。
【０００３】
例えば商品がタバコである場合、顧客は、保持板に保持された商品を取り出すために、この保持板の上部にある商品取出口に手を伸ばし、自身と対向する向きに弾性付勢されたフラッパを押し開け、商品を掴みこれを取り出す。フラッパは、商品取出口の上部を回動軸としてこの商品取出口を開閉するようになっている。このように、例えばタバコの自動販売機における商品取出口のフラッパには、本体の奥に押し込まれるようにして開く構成（内開きタイプ）を有するものがある。これにより、顧客は片手で容易に商品を取り出せる（例えば、特許文献１参照。）。
【０００４】
前述したフラッパの下部は、商品取出口の下部且つドア板の裏面に設けられた例えば樹脂製のガスケット兼ストッパに当接するようになっている。例えば回動軸周りに弾性付勢されたフラッパの下部がこのストッパに当接することにより、商品取出口が自動販売機の外部から閉塞される。この弾性付勢は例えば回動軸に設けられたバネ等の弾性材から生じるものである。この弾性付勢がより強ければ、フラッパはストッパにより強く当接し商品取出口は外部からより良く閉塞されるため、払出商品を保持する保持板に雨水が付き難くなる。特に商品がタバコの場合、商品を乾燥させたままで顧客に販売するためには、この雨水の遮断が重要となる。一方、この弾性付勢が強すぎると、フラッパが手を押し返す力が強くなりすぎるため、顧客は容易には商品を取り出せなくなる。
【０００５】
前述した雨水の遮断性と、商品取出の容易性とのバランスを鑑みて、前述した弾性材の強度が設定されている。つまり、たとえ風雨等に晒されても、フラッパがドア板の裏面側の所定位置まで押し込まれた状態に保持されるように、弾性材の強度が設定されている。また、ドア板の裏面と上記の所定位置との間には、外部からの雨水を排水する排水材が設けられている。例えば商品取出口を取り囲む枠体の下部に、雨水をドア板の裏面に案内する複数の案内孔が設けられている。
【特許文献１】特開２００４−２９５８０３号公報
【発明の開示】
【発明が解決しようとする課題】
【０００６】
しかしながら、前述したフラッパの下部は、風雨等に晒されるとその強さに関らず、必ずドア板の裏面側に押し込まれる方向に変位する。このため、例えばフラッパの下部と商品取出口の下部との間から入る雨水は、前述した案内孔ではその排水が不十分となって、結局保持板を濡らす虞がある。このため、販売時に収容庫から保持板に払い出された商品が濡れる虞がある。例えばこの商品がタバコの場合、濡れは商品の品質の低下につながりかねない。また、雨水を案内孔からドアの裏面に案内することは、自動販売機の内部に雨水を取り込んでしまうことに等しく、これも収容庫に収容する商品の品質保持に支障をきたす虞がある。特にパッケージ化されたタバコは、その重量が比較的軽いため、例えばシュータの内面が濡れている場合、この内面で滑り難くなりシュータから保持板へ落下し難くなる虞がある。
【０００７】
一方、前述したように、例えば風雨等に晒されてもフラッパの下部が変位しないように弾性材を強くすると、顧客は商品取出口から商品を取り出し難くなる。
【０００８】
本発明は、かかる課題に鑑みてなされたものであり、その目的とするところは、商品取出口から商品を取り出し易い上に、この商品取出口からの雨水が内部に溜ることを防止する自動販売機を提供することにある。
【課題を解決するための手段】
【０００９】
前記課題を解決するための発明は、商品が開口面を介して収容される収容庫、を有する本体と、ドア板と、前記収容庫からの払出商品を保持する保持板と、前記保持板上の払出商品を取り出すための商品取出口と、前記商品取出口の鉛直方向の上部を回動軸として前記商品取出口を開閉するフラッパと、前記ドア板の前記本体と対向しない方向へ前記フラッパを弾性付勢する弾性材と、を有し、前記保持板は前記ドア板の前記本体と対向する裏面側に設けられ、前記商品取出口は前記ドア板の前記保持板の鉛直方向の上部となる位置に設けられ、前記開口面を開閉するドアと、を備えた自動販売機であって、前記ドアは、前記フラッパの鉛直方向の下部が前記ドア板の表面側に突出した所定位置で、前記フラッパの弾性付勢に基づく回動を停止するストッパと、前記フラッパを介して進入する雨水を前記ドア板の表面に案内する排水材と、を有してなる。
【００１０】
この自動販売機によれば、例えば風雨等に晒されていない場合、フラッパの鉛直方向の下部は、ストッパによりドア板の表面側の所定位置で停止している。このため、たとえ風雨等に晒されドア板の表面側から裏面側へ向かう力に押されてストッパから離れても、フラッパの鉛直方向の下部が例えば依然ドア板の表面側にあるように、この所定位置を設定可能である。これにより、例えばフラッパの鉛直方向の下部と商品取出口との間から自動販売機の内部に雨水等が進入し難くなる。また、排水材により、フラッパを介して進入する雨水はドア板の表面に案内されるため、自動販売機の内部に雨水を取り込んでしまうことを防止できる。以上から、収容庫から払い出されて保持板に保持される商品を雨水で濡らすことが無く、収容庫に収容された商品を雨水に晒すことが無い。つまり、商品取出口から商品を取り出し易い上に、この商品取出口からの雨水が内部に溜ることを防止する自動販売機が提供されたことになる。更に、雨水のみならず、風雨にともないフラッパを介して進入し得る埃等からも商品を保護できる。
【００１１】
また、かかる自動販売機において、前記ストッパは、前記フラッパの下部に当接し、前記排水材は、前記ドア板の表面及び前記ストッパの間で、前記雨水を前記ドア板の表面に案内する複数の案内孔を有する、ことが好ましい。  
この自動販売機によれば、フラッパの下部がストッパから離れた場合、このフラッパの下部とストッパとの間から進入する雨水を、例えばドア板の裏面側に達する手前で排水できる。よって、ドア板の裏面側への雨水の進入を防止できる。
【００１２】
また、かかる自動販売機において、前記ドアは、前記ドア板の表面側に突出するとともに前記商品取出口を取り囲む枠体を有し、前記ストッパは、前記枠体の一部であることが好ましい。  
この自動販売機によれば、枠体はストッパの機能を有するとともに、商品取出口を取り囲みドア板の表面側に突出する化粧部材としても機能し得るため、ドアの外見のデザイン性に貢献し得る。自動販売機のデザイン性が高まれば集客効果も見込める。
【００１３】
また、かかる自動販売機において、前記ドアは、前記雨水等を前記ドア板の裏面に案内する副排水材を有することが好ましい。  
この自動販売機によれば、フラッパを介して進入した雨水のうち、排水材により排水しきれないものがあったとしても、この副排水材により排水できる。よって、自動販売機の内部に雨水が溜まることを防止できる。
【００１４】
また、かかる自動販売機において、前記副排水材は、前記排水材の鉛直方向の下部となる前記ドア板の裏面及び前記保持板の間で、前記雨水を前記ドア板の裏面に案内する複数の案内孔を有する、ことが好ましい。  
この自動販売機によれば、フラッパを介して進入した雨水のうち、排水材により排水しきれずドア板の裏面側まで進入するものがあったとしても、この副排水材により保持板の手前で排水できる。よって、少なくとも保持板が濡れることを防止できる。
【００１５】
また、かかる自動販売機において、前記ドアは、前記排水材及び前記副排水材の継ぎ目を覆うガスケットを有することが好ましい。  
この自動販売機によれば、フラッパを介して進入した雨水のうち、排水材により排水しきれずドア板の裏面側まで進入するものがあったとしても、例えば樹脂からなるガスケットで更なる進入を防止できる。また、例えばこのガスケットの表面が、顧客の手が触れても安全な仕上げになっていれば、顧客は商品取出口から商品を取り出し易くなる。尚、排水材及び副排水材の継ぎ目とは、一体からなる排水材及び副排水材の境界部分であってもよいし、排水材及び副排水材の接合部分であってもよい。
【００１６】
また、かかる自動販売機において、前記ドアは、少なくとも前記商品取出口及び前記枠体が露出した状態で、前記ドア板の表面を所定距離を介して覆う防犯用ドア板、を有することが好ましい。  
この自動販売機によれば、ドア板は、商品取出口及び枠体の部分以外は、所定距離を介して防犯用ドア板に覆われていることになる。よって、以下述べる理由により、防盗性に優れ且つデザイン性を追求可能な低コストの自動販売機を実現しつつ、フラッパの鉛直方向の下部をドア板の表面側に突出した所定位置で保持するストッパを容易に実現できる。
【００１７】
商品取出口から本体の開口面に容易にアクセスできないようにさえしておけば、もし開口面へアクセスするためにドア板を破壊しようとしても、この前に必ず防犯用ドア板を破壊しなければならないため、破壊作業に要する時間がかせげる。ここで、例えば防犯用ドア板があたかも１枚のドアであるかのような外見を呈していれば、例えば窃盗犯は、この防犯用ドア板を破壊した後、更に所定距離だけ奥にドア板を見いだした時点で破壊を諦めてしまうという心理的な効果もある。何故なら、もしドア板における複数箇所からアクセスしようとすれば、先ず防犯用ドア板を全て取り払うという手間がかかるからである。これにより自動販売機の防盗性が高まる。また、もし防犯用ドア板が破壊されたがこれがドア板まで至らずに済んだ場合、防犯用ドア板のみを交換すればよい。これにより自動販売機は低コストになる上に、被害後のドアの交換時間を短縮できる。更に、ドア板と防犯用ドア板とは所定距離を隔てているため、例えば、ドア板に対してドアの強度を高めるための厚みや形状等をもたせ、防犯用ドア板にはドアのデザイン性を高めるためだけの形状等をもたせることが可能である。以上から、自動販売機は、防盗性に優れ且つデザイン性を追求可能な低コストのものとなる。自動販売機のデザイン性が高まれば集客効果も見込める。
【００１８】
尚、防犯用ドア板は枠体を兼ねていてもよいし、これらは一体であってもよい。  
また、かかる自動販売機において、前記商品は、煙草商品であることとしてもよい。煙草商品を販売することにより、本発明の自動販売機において商品取出口から商品を取り出し易い上に、この商品取出口からの雨水が内部に溜ることが防止されるという効果が、より重要なものとなる。
【発明の効果】
【００１９】
商品取出口から商品を取り出し易い上に、この商品取出口からの雨水が内部に溜ることを防止する自動販売機を提供できる。
【発明を実施するための最良の形態】
【００２０】
＝＝＝自動販売機の概略構成＝＝＝
図１を参照しつつ、本実施の形態の自動販売機１０の外観構成例について説明する。同図は、本実施の形態の自動販売機１０の外観構成例を示す斜視図である。尚、以後、後述する外扉５０に関しては、その表側（又は外側）は、図１乃至図７に例示される座標における＋Ｚ側を意味し、その裏側（又は内側）は−Ｚ側を意味するものとする。
【００２１】
本実施の形態の自動販売機１０は、主として、商品を収容する筐体（本体）２０と、この筐体２０に対してヒンジ（不図示）を介して設けられ、筐体２０の開口面を開放又は閉塞する外扉（ドア）５０と、を備えて構成されている。この筐体２０は、商品を収納する商品収納コラム（収容庫）２１（図２参照）を備えている。また、この外扉５０は、主として、内側金属板（ドア板）２００（図２参照）と、商品取出口３２０と、を備えている。この商品取出口３２０は、更に、保持体（保持板）３２４（図４参照）と、フラッパ３２２（図４参照）と、バネ材（弾性材）３２２ｂ（図４参照）と、ストッパ３２１ａ（図４参照）と、案内孔（排水材）３２１ｃ（図４参照）と、を有している。尚、本実施の形態では、フラッパ３２２、バネ材３２２ｂ、ストッパ３２１ａ、案内孔３２１ｃ等を有し、顧客が購入した商品を外扉５０の表側からアクセスして取り出すための手段を商品取出口３２０と総称するが、これに限定されるものではない。例えば、商品取出口３２０は内側金属板２００に形成された単なる開口部であり、上記のフラッパ３２２、バネ材３２２ｂ、ストッパ３２１ａ、案内孔３２１ｃ等は、内側金属板２００に設けられたものとみなしてもよい。
【００２２】
内側金属板２００は、接客面３００、釣銭返却口３１４、ロック機構３３０等が更に設けられて、本実施の形態の外扉５０の主たる構成をなすものである。また、保持体３２４は、商品収納コラム２１から払い出された商品を保持するものである。また、フラッパ３２２は、バネ材３２２の弾性付勢に基づいて商品取出口３２０の開口部をその内側から外側に向かって閉じたり、これと逆方向に開いたりするものである。また、ストッパ３２１ａは、フラッパ３２２が商品取出口３２０の開口部を閉じた状態で保持するものである。また、案内孔３２１ｃは、フラッパ３２２を介して進入する雨水を排水するものである。
【００２３】
図１に例示されるように、本実施の形態の外扉５０の表側は、化粧扉としての外側金属板（防犯用ドア板）４００に覆われている。また、本実施の形態の接客面３００には、顧客が商品を選択するための商品選択釦（不図示）等が設けられた商品パネル３００ａ、３００ｂ、顧客が金銭を支払うための硬貨投入口３１１及び紙幣挿入口３１２、顧客が前述した釣銭返却口３１４から金銭の返却を求めるための釣銭返却釦３１３等が設けられている。また、本実施の形態のロック機構３３０は、例えば特開２００４−９４８６８号公報に開示されているように、筐体２０と外扉５０との間に設けられ、筐体２０の開口面を外扉５０により閉塞した状態で施錠又は開錠する機能を有する周知の機構である。本実施の形態では、例えばルートマンがこのような施錠又は開錠を手動で実施するものであり、外扉５０の表側には、手動式のロック機構３３０におけるハンドル部３３１及び鍵部３３２が設けられている。この鍵部３３２は、施錠状態にあるハンドル部３３１を固定する又は当該固定から解除する機能を有するものである。
【００２４】
尚、本実施の形態の自動販売機１０では、顧客が金銭を投入し商品選択釦を押下して商品を購入するものであるが、これに限定されるものではない。金銭の支払いは、例えばカード式であってもよい。この場合、自動販売機１０は、所定のカード読取部を接客パネルとして備える必要がある。或いは、金銭を投入したり、カードを翳したりするだけで、単一の商品が販売されるものであってもよい。この場合、自動販売機１０は、商品選択釦を必要としない。
【００２５】
図２を参照しつつ、本実施の形態の自動販売機１０の内部構成例について説明する。同図は、本実施の形態の自動販売機１０の内部構成例を示す斜視図である。
【００２６】
本実施の形態の自動販売機１０は、筐体２０の内部に商品収納コラム２１を備えている。商品が例えば箱状に包装されたタバコの場合、商品収納コラム２１の上下方向（Ｙ方向）の内部には、商品種類毎に分類された複数のタバコが積層した状態で収納される。各商品収納コラム２１の下方（−Ｙ側）には、積層における最下位置のタバコを所定の動力源でもって例えばベルト式でその前方側（＋Ｚ側）に払い出す払出部（不図示）が設けられている。販売時において、払出部により商品収納コラム２１から払い出されたタバコは、シュータ２３に落下し、このシュータ２３の開口部２３ａと対向する商品取出口３２０に導かれるようになっている。
【００２７】
尚、図２の例示では、外扉５０は、筐体２０に対して開かれているが、販売時には閉じられており、シュータ２３の開口部２３ａと、商品取出口３２０の裏側にある後述するカバー体３２３（図４参照）の開口部３２３ｂ（図４参照）とが相互に接続するように構成されている。また、図２の例示では、外扉５０の裏側にも商品収納コラム２２が設けられている。各商品収納コラム２２の下方には、積層における最下位置のタバコを所定の動力源でもって例えばベルト式でその後方側（−Ｚ側）に払い出す払出部（不図示）が設けられている。販売時において、払出部により商品収納コラム２２から払い出されたタバコがシュータ２３に落下し商品取出口３２０に導かれるようになっている。
【００２８】
前述した外扉５０を構成する内側金属板２００は、外側金属板４００と商品収納コラム２２との間に設けられている。この内側金属板２００の裏側と、商品収納コラム２２との間には、前述した商品取出口３２０及びロック機構３３０が設けられている。また、この内側金属板２００の裏側と、商品収納コラム２２との間には、前述した硬貨投入口３１１、紙幣挿入口３１２、及び釣銭返却口３１４に対応する、金銭処理のための所定の機構（不図示）が設けられている。この金銭処理のための所定の機構は、内側金属板２００の裏側に固定されている。
【００２９】
＝＝＝ドアの構成＝＝＝
図３を参照しつつ、前述した外側金属板４００及び内側金属板２００の構成例についてより詳細に説明する。図３（ａ）は、本実施の形態の外扉５０及び筐体２０の分解構成例を示す斜視図であり、図３（ｂ）は、図３（ａ）に例示された外扉５０及び筐体２０の組立構成例を示す斜視図である。
【００３０】
図３（ａ）に例示されるように、本実施の形態の内側金属板２００は、その裏側において、筐体２０の開口面Ｓを閉塞する形状をなし、その表側において、接客面３００、釣銭返却口３１４、商品取出口３２０、及びロック機構３３０が設けられた成型鉄板である。図３（ａ）の例示では、内側金属板２００は、筐体２０の開口面Ｓと略同形状をなす長方形の板と、この長方形の上側（＋Ｙ側）、左側（−Ｘ側）、及び右側（＋Ｘ側）の３辺において曲げ加工された３つの側片と、からなっている。この内側金属板２００を構成する鉄板の厚さは、例えば１．０ｍｍである。
【００３１】
一方、図３（ａ）に例示されるように、本実施の形態の外側金属板４００は、上部板４１０と、左右２つの側部板４２０ａ、４２０ｂと、下部板４３０と、を備えて構成されている。
【００３２】
上部板４１０は、内側金属板２００の表側における接客面３００より上の部分を覆う形状をなす成型鉄板である。また、上部板４１０は、その裏面と、内側金属板２００の表面とが所定距離を有するように内側金属板２００に固定されている。
【００３３】
側部板４１０ａ、４２０ｂは、左右に略対称な形状をなし、内側金属板２００の側片と、内側金属板２００の表側における接客面３００より下の部分とを覆う形状をなす成型鉄板である。ここで、側部板４２０ａは、商品取出口３２０を表側に露出させるべく、これらを回避する形状をなし、側部板４２０ｂは、釣銭返却口３１４、商品取出口３２０、及びロック機構３３０を表側に露出させるべく、これらを回避する形状をなすものである。また、側部板４２０ａは、その裏面と、内側金属板２００の表面との間の所定距離が、左側から中央にかけて徐々に短くなるように内側金属板２００に固定され、側部板４１０ｂは、その裏面と、内側金属板２００の表面との間の所定距離が、右側から中央にかけて徐々に短くなるように内側金属板２００に固定されている。
【００３４】
下部板４３０は、内側金属板２００の表側における商品取出口３２０より下の部分を覆う形状をなす成型鉄板である。また、下部板４３０は、その裏面と、内側金属板２００の表面とが所定距離を有するように内側金属板２００に固定されている。尚、この所定距離は、前述した上部板４１０及び側部板４２０ａ、４２０ｂの場合の所定距離よりも長く設定されている。つまり、上部板４１０及び側部板４２０ａ、４２０ｂに比べて、下部板４３０がより前方（＋Ｚ側）に突出するようになっている。
【００３５】
尚、本実施の形態の外側金属板４００を構成する鉄板の厚さは、例えば０．８ｍｍである。また、本実施の形態では、外側金属板４００は、内側金属板２００に対して例えばネジ留め固定されているものとする。
【００３６】
図３（ｂ）に例示されるように、前述した構成によれば、上部板４１０、側部板４２０ａ、４２０ｂ、及び下部板４３０を内側金属板２００に固定すると、外扉５０の外観はあたかもその全体が外側金属板４００で構成されているようになっている。尚、本実施の形態の外側金属板４００は、内側金属板２００の裏側からボルト及びナット等で固定（ネジ留め固定）されている。
【００３７】
＝＝＝商品取出口の構成＝＝＝
図４及び図５を参照しつつ、本実施の形態の商品取出口３２０の構成例についてより詳細に説明する。図４は、本実施の形態の商品取出口の構成例を示す側部断面図であり、図５（ａ）は、本実施の形態の商品取出口３２０を表側の斜め上方から見た斜視図であり、図５（ｂ）は、本実施の形態の商品取出口３２０を裏側の斜め上方から見た斜視図である。
【００３８】
本実施の形態の商品取出口３２０の内側金属板２００の表裏両側における外観は、主として、フレーム体（枠体）３２１、カバー体３２３、保持体３２４、及びフラッパ３２２により構成される。つまり、内側金属板２００の表側にはフレーム体３２１が突出するように設けられ、内側金属板２００の裏側にはカバー体３２３及び保持体３２４が突出するように設けられている。また、このカバー体３２３の回動軸３２２ｃの周りにはフラッパ３２２が回動可能に設けられている。
【００３９】
＜＜＜ドア板の表面側＞＞＞
図４に例示されるように、本実施の形態のフレーム体３２１は、商品取出口３２０の開口部を取り囲む更なる開口部３２１ｂを有するとともに内側金属板２００の表側に突出した形状をなす例えば成型樹脂板である。このフレーム体３２１の前後方向の幅は、その上部においては、側部板４２０ｂの右端部と、内側金属板２００の表面との間の所定距離に略等しく、その下部においては、下部板４３０と、内側金属板２００の表面との間の所定距離に略等しい。
【００４０】
また、図４に例示されるように、このフレーム体３２１の開口部３２１ｂの下部には、フラッパ３２２の表面下部に当接することにより当該フラッパ３２２の回動軸３２２ｃ周りの反時計方向の回動を停止するストッパ３２１ａが設けられている。ここで、ストッパ３２１ａは、フレーム体３２１の開口部３２１ｂの下部において裏側に向いた樹脂板の端部からなるものである。このガスケットにフラッパ３２２の表面下部が当接することにより、商品取出口３２０の外部からの雨水や埃等が内部に進入することを防止できる。
【００４１】
更に、図４に例示されるように、このフレーム体３２１の開口部３２１ｂの下部におけるストッパ３２１ａの裏側の領域には、複数の案内孔３２１ｃが穿設されている。図５（ａ）に例示されるように、外扉５０表側の斜め上方からは、本実施の形態の案内孔３２１ｃは、フレーム体３２１の開口部３２１ｂの下部において左右方向（Ｘ軸方向）に複数並んで見える。尚、図５（ａ）では、図示の便宜上フラッパ３２２は表示されていない。図４に戻って説明すると、本実施の形態では、フレーム体３２１の下面には、案内孔３２１ｃと連通する孔部（不図示）が更に穿設されている。この孔部と連通するように、前述した下部板４３０の上面及び下面には孔部４３０ａ等が更に穿設されている。後述するように、フレーム体３２１の案内孔３２１ｃから進入した雨水は、下部板４３０の孔部４３０ａから排水されるようになっている。
【００４２】
尚、本実施の形態のフレーム体３２１は、例えば内側金属板２００の裏側からボルト及びナット等で固定（ネジ留め固定）されている。また、前述したフレーム体３２１は、ストッパ３２１ａ及び案内孔３２１ｃと一体の樹脂の成型加工品であるが、これに限定されるものではない。フレーム体３２１は、例えば金属板の成型加工品であってもよいし、樹脂及び金属の何れであるかに関らず、例えば、ストッパ３２１ａと、案内孔３２１ｃのある領域とが別体の組み立て加工品であってもよい。
【００４３】
図４に例示されるように、本実施の形態のフラッパ３２２は、その上部がＸ軸方向の回動軸３２２ｃに軸支されて当該回動軸３２２ｃの周りに反時計方向に回動することにより、その下部が前述したストッパ３２１ａに当接して商品取出口３２０の開口部を閉塞するように構成された例えば透明の成型樹脂板である。ここで、本実施の形態の回動軸３２２ｃは、後述するカバー体３２３の内側面に固定されている。具体的には、フラッパ３２２の上部には、扇形状をなすギア３２２ａが固定されており、このギア３２２ａがバネ材３２２ｂを介して回動軸３２２ｃに軸支されている。このバネ材３２２ｂは、ギア３２２ａが回動軸３２２ｃの周りの反時計方向（図４）に弾性付勢されるように配置されている。一方、扇形状をなすギア３２２ａは、後述するカバー体３２３の内側面に固定され回転自在なギア３２３ａと噛合するようにもなっている。以上から、フラッパ３２２の開閉動作は円滑で安定したものとなる。
【００４４】
また、図４に例示されるように、本実施の形態のフラッパ３２２は、商品取出口３２０の開口部を閉じた状態で、その上部及び下部ともに、内側金属板２００の表側に突出するようになっている。また、このフラッパ３２２は、上部から下部にかけて表側により突出するように曲げ加工されている。
【００４５】
＜＜＜ドア板の裏面側＞＞＞
図４に例示されるように、本実施の形態の保持体３２４は、商品取出口３２０の開口部の下部から内側金属板２００の裏側に突出した形状をなす成型鉄板である。具体的には、保持体３２４の成型板は、商品を保持し易い形状をなすべく、フレーム体３２１の開口部３２１ｂの下部から裏側下方にかけて複数箇所外側（−Ｙ側）に曲げ加工されたものである。本実施の形態の保持体３２４は、フレーム体３２１の開口部３２１ｂの下部近傍で外側（−Ｙ側）に曲げ加工された領域に複数の案内孔（副排水材）３２４ａが穿設されている。また、この保持体３２４において、これらの案内孔３２４ａと前述した案内孔３２１ｃとの間にはガスケット３２１ｄが設けられている。図５（ｂ）に例示されるように、外扉５０裏側の斜め上方からは、本実施の形態の案内孔３２４ａは、ガスケット３２１ｄをはさんで、前述した案内孔３２１ｃと平行に左右方向（Ｘ軸方向）に複数並んで見える。尚、図５（ｂ）では、フラッパ３２２は商品取出口３２０の開口部を閉じた状態にあり、図示の便宜上、カバー体３２３は表示されていない。図４に戻って説明すると、本実施の形態では、保持体３２４の下方には、案内孔３２４ａから、外扉５０の下面に穿設された孔部２００ａへの連通路（不図示）が形成されている。もしフレーム体３２１の案内孔３２１ｃにより排水できない雨水があれば、これを案内孔３２４ａから孔部２００ａへ排水するようになっている。
【００４６】
尚、本実施の形態の保持体３２４は、例えば内側金属板２００に対してボルト及びナット等で固定（ネジ留め固定）されている。また、本実施の形態では、保持体３２４は、前述したガスケット３２１ｄの位置においてフレーム体３２１と当接して継ぎ目をなすものであるが、このような構成に限定されるものではない。この継ぎ目とは、例えば一体からなる保持体３２４及びフレーム体３２１の境界部分であってもよい。
【００４７】
図４に例示されるように、本実施の形態のカバー体３２３は、商品取出口３２０の開口部を内側金属板２００の裏側から覆う形状をなす成型鉄板である。このカバー体３２３の内側面には、前述した回転自在なギア３２３ａが固定されている。また、このカバー体３２３と、前述した保持体３２４とにより、内側金属板２００の裏側に開口部３２３ｂが形成される。前述したように、商品の販売時に外扉５０が閉じられると、この開口部３２３ｂと、シュータ２３の開口部２３ａとが相互に接続するようになっている（図６参照）。
【００４８】
＝＝＝商品を取り出し易い上に雨水が内部に溜ることを防止する自動販売機＝＝＝
図６及び図７を参照しつつ、前述した構成を備えた商品取出口３２０におけるフラッパ３２２の開放動作について説明する。尚、図６は、販売時における本実施の形態の商品取出口３２０の状態を説明するための側部断面図であり、図７は、風雨下の非販売時における本実施の形態の商品取出口３２０の状態を説明するための側部断面図である。
【００４９】
図６に例示されるように、商品６００が商品収納コラム２１、２２から払い出されてシュータ２３の開口部２３ａを通じて保持体３２４にもたらされた場合、顧客は、商品取出口３２０に手を伸ばしフラッパ３２２を内側（−Ｚ側）に押すという動作を実行する。このとき、フラッパ３２２の上部の扇形状をなすギア３２２ａは回動軸３２２ｃの周りに時計方向（図６）に回動するため、顧客の手は、バネ材３２２ｂからの弾性反発を感じる。本実施の形態のバネ材３２２ｂの強度は、例えば、この手が感じる反発が商品６００を取り出すには支障のない程度であり、且つ、商品取出口３２０の内部における所定の密閉性をもってフラッパ３２２がストッパ３２１ａに当接する、という条件を満足するように設定されている。
【００５０】
図７に例示されるように、例えば自動販売機１０が戸外で風雨に晒されている場合、商品の販売時でなくても、風圧等を受けたフラッパ３２２の下部は内側（−Ｚ側）に変位する。一方、図４に例示されるように、本実施の形態では、風雨等に晒されていない場合の非販売時におけるフラッパ３２２の下部の通常の位置は、ストッパ３２１ａにより内側金属板２００の表側に突出した位置（所定位置）となっている。このため、フレーム体３２１に対するストッパ３２１ａの位置が、例えば所定の風圧まではフラッパ３２２の下部が内側金属板２００の表側及び裏側の境界近傍にあるような位置となっていれば、フラッパ３２２の下部と、商品取出口３２０の開口部の下部との間から内部に雨水等が進入し難くなる。このようなストッパ３２１ａの位置は、フレーム体３２１が一体の成型品である場合及び組み立て品である場合の何れについても、フレーム体３２１の製造段階で設定可能である。
【００５１】
また、図７に例示されるように、フラッパ３２２を介して進入する雨水は、案内孔３２１ｃを通じて内側金属板２００の表面に案内され、そのまま孔部４３０ａを通じて自動販売機１０の外部に排水されるため、自動販売機１０の内部に雨水を取り込んでしまうことを防止できる。
【００５２】
更に、図７に例示されるように、フラッパ３２２を介して進入した雨水のうち、案内孔３２１ｃにより排水しきれず内側金属板２００の裏側まで進入するものがあったとしても、案内孔３２４ａにより保持体３２４の手前で排水できる。よって、少なくとも保持体３２４の内面が濡れることを防止できる。
【００５３】
更にまた、フラッパ３２２を介して進入した雨水のうち、案内孔３２１ｃにより排水しきれず内側金属板２００の裏側まで進入するものがあったとしても、ガスケット３２１ｄ（図４）で更なる進入を防止できる。また、このガスケット３２１ｄの表面が、顧客の手が触れても安全な仕上げになっていれば、顧客は商品取出口３２０から商品を取り出し易くなる。
【００５４】
以上から、商品収納コラム２１、２２から払い出されて保持体３２４に保持された商品を雨水で濡らすことが無く、商品収容コラム２１、２２に収容された商品を雨水に晒すことが無い。つまり、商品取出口３２０から商品を取り出し易い上に、この商品取出口３２０からの雨水が内部に溜ることを防止する自動販売機１０が提供されたことになる。特にシュータ２３の内面の濡れが防止されると、重量が比較的軽いパッケージ化されたタバコがこの内面上で滞ることない。よって、シュータ２３から保持体３２４への商品の円滑な落下が維持される。
【００５５】
更に、雨水のみならず、風雨にともないフラッパ３２２を介して進入し得る埃等からも商品を保護できる。
【００５６】
＝＝＝防盗性に優れ且つデザイン性を追求可能な低コストの自動販売機＝＝＝
前述した自動販売機１０によれば、外扉５０の内側金属板２００の表側は、接客面３００、釣銭返却口３１４、商品取出口３２０、ハンドル部３３１、及び施錠部３３２を除いて、所定距離を介して外側金属板４００に覆われていることになる。一般に、接客面３００、釣銭返却口３１４、商品取出口３２０、ハンドル部３３１、施錠部３３２等の裏側は防盗板で保護されているため、これらから筐体２０の開口面には容易にアクセスできない。もし窃盗犯が筐体２０の開口面へアクセスするために外扉５０を破壊しようとしても、先ず外側金属板４００を破壊した後に内側金属板２００を破壊しなければならないため、破壊作業に時間がかかる。そこで、内側金属板２００の厚さ（例えば１．０ｍｍ）及び外側金属板４００の厚さ（例えば０．８ｍｍ）を、窃盗犯が破壊作業を途中で諦めてしまうような破壊所用時間（統計値）に基づく値に設定すれば、自動販売機１０の防盗性が高まる。また、外側金属板４００は、これがあたかも１枚の外扉５０であるかのような外見を呈しているため、窃盗犯は、この外側金属板４００を破壊した後、更に所定距離だけ奥に内側金属板２００を見いだした時点で破壊を諦めてしまうという心理的な効果もある。何故なら、奥に見える内側金属板２００における複数箇所からアクセスしようとすれば、先ず外側金属板４００を全て取り払うという手間がかかるからである。
【００５７】
また、前述した自動販売機１０によれば、もし外側金属板４００の一部に穴が開けられて窃盗用の工具の支点として利用される場合でも、この穴の近傍の外側金属板４００は、内側金属板２００よりも薄くて強度が弱いことから容易に変形してしまい、工具を操作するための支点として機能し難いことになる。これにより前述した破壊作業に要する時間がかせげて、結果的には自動販売機１０の防盗性がより高まる。ここで、外側金属板４００の厚さと、内側金属板２００及び外側金属板４００の間の所定距離とは、窃盗犯が破壊作業を途中で諦めてしまうような破壊所用時間（統計値）に基づく値に設定できる。例えば、外側金属板４００がより薄くなれば、窃盗用の工具の支点にはなり難くなり、内側金属板２００及び外側金属板４００の間の所定距離がより長くなれば、この外側金属板４００を残したままでは窃盗用の工具を操作し難くなる。
【００５８】
更に、前述した自動販売機１０によれば、もし外側金属板４００が破壊されたがこの破壊が内側金属板２００まで至らずに済んだ場合、この外側金属板４００のみを交換すればよい。ここで、本実施の形態の外側金属板４００は、更に、上部板４１０、側部板４２０ａ、４２０ｂ、及び下部板４３０からなる。そこで、このうちの例えば一部が破壊されたが、この破壊が他の外側金属板４００及び内側金属板２００まで至らずに済んだ場合、より低コストで外扉５０を交換できる。これにより自動販売機１０は低コストになる上に、被害後の外扉５０の交換時間を短縮できる。
【００５９】
更にまた、前述した自動販売機１０によれば、図１及び図３に例示されるように、２つの側部板４２０ａ、４２０ｂは、Ｘ方向に沿って左右端部から中央部にかけて、−Ｚ側に凹形状をなすように配置できる。これは、内側金属板２００と外側金属板４００とが所定距離を隔てているためである。つまり、内側金属板２００に対して、外扉５０の強度を高めるための厚み（例えば１．０ｍｍ）や形状（例えば平坦形状）をもたせ、外側金属板４００に対して、外扉５０のデザイン性を高めるためだけの形状（例えば凹形状）をもたせている。このように自動販売機１０のデザイン性が高まれば集客効果も見込める。
【００６０】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００６１】
前述した実施の形態のフレーム体３２１は、内側金属板２００と外側金属板４００との間隙に応じた幅を有し、この幅に応じた所定位置にストッパ３２１ａが配置されていたが、これに限定されるものではない。また、フラッパ３２２に対してストッパ３２１ａが当接する位置はその下部に限定されるものではなく、排水材は案内孔３２１ｃに限定されるものではない。そこで、外扉５０は、例えば内側金属板２００１枚だけからなり、例えば回動軸３２２ｃの近傍に設けられたストッパによりフラッパ３２２がこの内側金属板２００の表側に突出して開口部を閉じるように構成されたものであってもよい。更に、外扉５０は、この内側金属板２００の表側に例えば配水管等の排水材が設けられたものであってもよい。
【００６２】
また、前述した実施の形態では、保持体３２４は案内孔３２４ａを有し、保持体３２４とフレーム体３２１との間にはガスケット３２１ｄが設けられていたが、これに限定されるものではなく、案内孔３２４ａ及びガスケット３２１ｄは必須ではない。案内孔３２４ａ及びガスケット３２１ｄを有さない分、保持体３２４の構成はより簡単なものとなり、よって自動販売機１０の製造コストを抑えることができる。また、案内孔３２４ａは例えば配水管等の排水材でもよい。
【００６３】
更に、前述した実施の形態の外側金属板４００は、４つの金属板４１０、４２０ａ、４２０ｂ、４３０の組み合わせであったが、これに限定されるものではない。外側金属板４００は、例えば１つの金属板であってもよいし、５つ以上の金属板の組み合わせであってもよい。外側金属板４００が前述したフレーム体３２１を例えば一体で兼ねるものであってもよい。
【図面の簡単な説明】
【００６４】
【図１】本実施の形態の自動販売機の外観構成例を示す斜視図である。
【図２】本実施の形態の自動販売機の内部構成例を示す斜視図である。
【図３】（ａ）は、本実施の形態の外扉及び筐体の分解構成例を示す斜視図であり、（ｂ）は、（ａ）に例示された外扉及び筐体の組立構成例を示す斜視図である。
【図４】本実施の形態の商品取出口の構成例を示す側部断面図である。
【図５】（ａ）は、本実施の形態の商品取出口を表側の斜め上方から見た斜視図であり、（ｂ）は、本実施の形態の商品取出口を裏側の斜め上方から見た斜視図である。
【図６】販売時における本実施の形態の商品取出口の状態を説明するための側部断面図である。
【図７】風雨下の非販売時における本実施の形態の商品取出口の状態を説明するための側部断面図である。
【符号の説明】
【００６５】
１０        自動販売機                  ２０        筐体
２１、２２  商品収納コラム              ２３        シュータ
２３ａ、３２１ｂ、３２３ｂ  開口部      ５０        外扉
２００      内側金属板                ２００ａ、４３０ａ  孔部
３００      接客面                    ３２０        商品取出口
３２１      フレーム体                ３２１ａ      ストッパ
３２１ｃ、３２４ａ  案内孔            ３２１ｄ      ガスケット
３２２      フラッパ                  ３２２ａ、３２３ａ  ギア
３２２ｂ    バネ材                    ３２２ｃ      回動軸
３２３      カバー体                  ３２４        保持体
３３０      ロック機構                ３３１        ハンドル部
３３２      鍵部                      ４００        外側金属板
４１０      上部板                    ４２０ａ、４２０ｂ  側部板
４３０      下部板                    ６００        商品
【図１】
2006285796.tif 000003
【図２】
2006285796.tif 000004
【図３】
2006285796.tif 000005
【図４】
2006285796.tif 000006
【図５】
2006285796.tif 000007
【図６】
2006285796.tif 000008
【図７】
2006285796.tif 000009